(57)【要約】【課題】第１の本体と第２の本体の位置関係を使用しやすい位置に移動する。また携帯情報装置の幅広い使用状態を可能にするよう、表示部を有する本体を移動させて第１の状態と、第２の状態と、第３の状態の３つの状態をとることを可能にするものである。【解決手段】携帯情報装置は、表示部を有する第１の本体と、前記表示部の表示を制御する回路部を収納する第２の本体と、前記第１の本体と第２の本体を結合する結合部とからなる。そして前記第１の本体と第２の本体が最も多くの部分が重なり合う第１の状態と、前記第１の状態から第１の本体が回転して、前記第２の本体の一部が第１の本体からはみ出すように重なり合う第２の状態と、前記第２の状態から第１の本体が更に回転して、第１の本体の少なくとも一辺が第２の本体の少なくとも一辺に一致するか、近くにあるように重なり合う第３の状態を取ることができる。【選択図】図１
2006202230.tif 000002
【特許請求の範囲】
【請求項１】
表示部を有する第１の本体と、前記表示部の表示を制御する回路部を収納する第２の本体と、前記第１の本体と第２の本体を結合する結合部とからなり、前記第１の本体と第２の本体が最も多く重なり合う第１の状態と、前記第１の状態から第１の本体が回転して、前記第２の本体の一部が第１の本体からはみ出すように重なり合い、かつ第２の本体の短辺が第１の本体の一辺に一致するか、または離れた位置にある第２の状態を有することを特徴とする携帯情報装置。
【請求項２】
表示部を有する第１の本体と、前記表示部を制御する回路部を収納する第２の本体と、前記第１の本体と第２の本体を結合する結合部とからなり、前記第１の本体と第２の本体が最も多く重なり合う第１の状態と、前記第１の状態から第１の本体が回転して、前記第２の本体の一部が第１の本体からはみ出すように重なり合う第２の状態と、前記第２の状態から第１の本体が更に回転して、第１の本体の少なくとも一辺が第２の本体の少なくとも一辺に一致するか、近くにあるように重なり合う第３の状態を有することを特徴とする携帯情報装置。
【請求項３】
前記第２の状態のとき、第１の本体の短辺が第２の本体の一辺に一致するか、または離れた位置にあることを特徴とする請求項２に記載の携帯情報装置。
【請求項４】
前記第２の状態のとき、第１の本体の短辺が第２の本体の内側にあることを特徴とする請求項１乃至３のいずれか１項に記載の携帯情報装置。
【請求項５】
前記第２の状態または第３の状態のとき、第２の本体が第１の本体の両側にはみ出し部分を有するように重なり合うことを特徴とする請求項１乃至４のいずれか１項に記載の携帯情報装置。
【請求項６】
前記第２の状態または第３の状態のとき、第１の本体からはみ出した第２の本体部分に、携帯情報装置の操作部を配置したことを特徴とする請求項１乃至５のいずれか１項に記載の携帯情報装置。
【請求項７】
前記操作部は表示装置に表示された対象画像を表示画面内で移動させるための操作子または携帯情報装置の動作を制御する操作子であることを特徴とする請求項６に記載の携帯情報装置。
【請求項８】
前記第１の状態、第２の状態、第３の状態の少なくとも１つの状態のとき、第１の本体と第２の本体の中心線がほぼ一致していることを特徴とする請求項１乃至７のいずれか１項に記載の携帯情報装置。
【請求項９】
前記第１の本体または第２の本体は、両側に円弧部分を含む長方形に形成され、前記第２の本体は第１の本体より長手方向が長いことを特徴とする請求項１乃至８のいずれか１項に記載の携帯情報装置。
【請求項１０】
前記第１の状態が収納状態であり、前記第２の状態が第１の動作状態であり、前記第３の状態が第２の動作状態であることを特徴とする請求項１乃至９のいずれか１項に記載の携帯情報装置。
【請求項１１】
前記第２の状態のとき、表示部は縦長に表示することを特徴とする請求項１に記載の携帯情報装置。
【請求項１２】
前記第２の状態のとき表示部は縦長に表示し、かつ第３の状態のとき横長に表示することを特徴とする請求項２乃至１０のいずれか１項に記載の携帯情報装置。
【請求項１３】
前記第１の状態のとき第１の本体によって隠れ、前記第２の状態または第３の状態のときに現れる第２の本体部分に、附属部品を配置したことを特徴とする請求項１乃至１２のいずれか１項に記載の携帯情報装置。
【請求項１４】
前記附属部品がカメラまたはセンサーであることを特徴とする請求項１３に記載の携帯情報装置。
【請求項１５】
前記附属部品がスピーカまたは操作キーであることを特徴とする請求項１３に記載の携帯情報装置。
【請求項１６】
表示部を有する第１の本体と、前記表示部の表示を制御する回路部を収納する第２の本体と、前記第１の本体と第２の本体を結合する結合部とからなり、前記結合部は、ピンとカム機構よりなり、第１の本体または第２の本体が回転および／または摺動して、第１の状態、第２の状態、第３の状態になることを特徴とする携帯情報装置。
【請求項１７】
前記ピンは２つ備え、カム機構を構成する溝に前記２つのピンが嵌まり込んでいることを特徴とする請求項１６に記載の携帯情報装置。
【発明の詳細な説明】
【技術分野】
【０００１】
本発明は、かばん、バッグやポケットに入れることができる、或いは持ち運ぶことができるサイズの携帯情報装置に関するものである。より詳細には携帯情報装置の使用形態を多くするものである。
【背景技術】
【０００２】
液晶表示装置の小型化、高精細化、低消費電力化、制御回路や駆動回路を構成するＩＣ、ＬＳＩの小型化、高集積化、低消費電力化、また電池の小型化、軽量化、更に操作部の薄型化等により、携帯情報装置が普及している。中でも携帯電話、携帯型電子ゲーム、ＰＤＡ（Ｐａｒｓｏｎａｌ  Ｄｉｇｉｔａｌ  Ａｓｓｉｓｔａｎｔ）、デジタルカメラ、ビデオカメラ、電子書籍のように、胸ポケットに入れられる収納できる程度の大きさで、縦長又は横長の液晶ディスプレイを持つ電子機器の普及が進んでいる。これらの機器は、表示画面を大きくして表示を見やすくするため、また携帯時は小さくして持ち運びし易くするため、表示部を有する表示部本体と、電子回路等を内蔵する機器本体に分けて構成し、折り畳み自在または折り曲げ自在にして、収納時の大きさが小さくなるように工夫している。
【０００３】
例えば、特許文献１は、キーボードを有する入力装置と、液晶ディスプレイを有するベースユニットをコーナー部分で１つの回転軸により結合し、携帯時は入力装置とベースユニットが重なるように回転し、使用時は入力装置を回転して横長として使用するものである。また特許文献２は、第１の筐体と第２の筐体をヒンジにより折り畳み可能に連結し、第１の筐体が開いた状態或いは閉じた状態から回転したときに、その回転角度と機器の保持状態によって、第１の筐体に設けた表示装置の表示方向を見やすいように切換えるものである。
【特許文献１】特開２００２−２４４７６４号公報
【特許文献２】特開２００２−１３５３８０号公報
【発明の開示】
【発明が解決しようとする課題】
【０００４】
特許文献１はベースユニットと入力装置が回転できるように結合させて、収納状態と、使用状態に変化するものである。また特許文献２は第１の筐体と第２の筐体をヒンジにより連結し、使用状態に合わせて表示方向を切換えるものである。
しかし特許文献１及び２は、２つの筐体を筐体の端部で結合し、回転する構造であるから、収納状態と使用状態の位置関係が悪く、使用する場合に携帯機器の操作がしにくく、また表示が見にくく、不便である。また収納状態と、使用状態の２つの状態しかなく、携帯機器の幅広い使用形態を実現することができない。
更に、特許文献１の場合、横長表示装置として用いた場合には表示装置の中心位置は本体位置から離れた位置に移動してしまうため、重心のバランスを失ってしまうため、操作性が悪いという問題がある。
【０００５】
本発明の携帯情報装置は、第１の本体と第２の本体の位置関係を使用しやすい位置に移動するものであり、また携帯情報装置の幅広い使用状態を可能にするよう、表示部を有する本体を移動させて第１の状態と、第２の状態と、第３の状態の３つの状態をとることを可能にするものである。
【課題を解決するための手段】
【０００６】
本発明の携帯情報装置は、表示部を有する第１の本体と、前記表示部を制御する回路部を収納する第２の本体と、前記第１の本体と第２の本体を結合する結合部とからなり、前記第１の本体と第２の本体が最も多く重なり合う第１の状態と、前記第１の状態から第１の本体が回転して、前記第２の本体の一部が第１の本体からはみ出すように重なり合い、かつ第２の本体の短辺が第１の本体の一辺に一致するか、または離れた位置にある第２の状態を有することにより、前記課題を解決する。
また本発明の携帯情報装置は、表示部を有する第１の本体と、前記表示部を制御する回路部を収納する第２の本体と、前記第１の本体と第２の本体を結合する結合部とからなり、前記第１の本体と第２の本体が最も多く重なり合う第１の状態と、前記第１の状態から第１の本体が回転して、前記第２の本体の一部が第１の本体からはみ出すように重なり合う第２の状態と、前記第２の状態から第１の本体が更に回転して、第１の本体の少なくとも一辺が第２の本体の少なくとも一辺に一致するか、近くにあるように重なり合う第３の状態を有することにより、前記課題を解決する。
【０００７】
本発明の携帯情報装置は、前記第２の状態のとき、第１の本体の短辺が第２の本体の一辺に一致するか、または離れた位置にあることを特徴とし、また前記第２の状態のとき、第１の本体の短辺が第２の本体の内側にあることを特徴とし、また前記第２の状態または第３の状態のとき、第２の本体が第１の本体の両側にはみ出し部分を有するように重なり合うことを特徴とし、これにより第１の本体を使用しやすい位置関係に移動させ、使用形態を広げることができる。
本発明の携帯情報装置は、前記第２の状態または第３の状態のとき、第１の本体からはみ出した第２の本体部分に、携帯情報装置の操作部を配置したものである。前記操作部が表示装置に表示された対象画像を表示画面内で移動させるための操作子または携帯情報装置の動作を制御する操作子であることを特徴とする。
本発明の携帯情報装置は、前記第１の状態、第２の状態、第３の状態の少なくとも１つの状態のとき、第１の本体と第２の本体の中心線がほぼ一致していることにより、使用しやすくする。
本発明の携帯情報装置は、前記第１の本体または第２の本体は、両側に円弧部分を含む長方形に形成され、前記第２の本体は第１の本体より長手方向が長いことを特徴とする。
本発明の携帯情報装置は、前記第１の状態が収納状態であり、前記第２の状態が第１の動作状態であり、前記第３の状態が第２の動作状態であることにより、幅広い使用形態を実現する。前記第２の状態のとき表示部は縦長に表示し、第３の状態のとき横長に表示するとよい。
本発明の携帯情報装置は、前記第１の状態のとき第１の本体によって隠れ、前記第２の状態または第３の状態のときに現れる第２の本体部分に、附属部品を配置した特徴とする。前記附属部品はスピーカ、またはセンサーであるとよい。また附属部品がカメラまたは操作キーであるとよい。
【０００８】
本発明の携帯情報装置は、表示部を有する第１の本体と、前記表示部の表示を制御する回路部を収納する第２の本体と、前記第１の本体と第２の本体を結合する結合部とからなり、前記結合部がピンとカム機構よりなり、前記第１の本体または第２の本体が回転および／または摺動して、第１の状態、第２の状態、第３の状態になることを特徴とする。
本発明の携帯情報装置は、前記ピンを２つ備え、カム機構を構成する溝に前記２つのピンが嵌まり込んでいることを特徴とする。
【発明の効果】
【０００９】
本発明の携帯情報装置は、表示部を有する第１の本体と、前記表示部を制御する回路部を収納する第２の本体と、前記第１の本体と第２の本体を結合する結合部とからなり、前記第１の本体と第２の本体が最も多く重なり合う第１の状態と、前記第１の状態から第１の本体が回転して、前記第２の本体の一部が第１の本体からはみ出すように重なり合い、かつ第２の本体の短辺が第１の本体の一辺に一致するか、または離れた位置にある第２の状態を有するので、第２の状態のとき第１の本体を使用しやすい状態に移動させることができる。
本発明の携帯情報装置は、第１の本体と第２の本体が最も多くの部分が重なり合う第１の状態と、前記第１の状態から第１の本体が回転して、前記第２の本体の一部が第１の本体からはみ出すように重なり合う第２の状態と、前記第２の状態から第１の本体が更に回転して、第１の本体の少なくとも一辺が第２の本体の少なくとも一辺に一致するか、近くにあるように重なり合う第３の状態を有するので、幅広い使用形態を実現することができる。第１の状態は最も携帯情報装置を小型にすることができ、持ち運びに便利である。第２の状態は表示装置を横長にして表示することができる。また第３の状態は表示装置を縦長にして表示することができる。
【００１０】
また本発明の携帯情報装置は、前記第２の状態または第３の状態のとき、第２の本体が第１の本体の両側にはみ出し部分を有するように重なり合うので、はみ出し部分に操作部を配置することにより、操作部を広い面積配置することができ、各キーの間隔を広くすることができる。使用形態または使用機能を広げることができる。
また本発明の携帯情報装置は、前記第１の状態、第２の状態、第３の状態の少なくとも１つの状態のとき、第１の本体と第２の本体の中心線がほぼ一致しているので、画面の中心線と操作部の中心線を一致させることができ、使用者の操作感覚性能がよく、見やすく、使用しやすくする。
また本発明の携帯情報装置は、前記第１の状態のとき第１の本体によって隠れ、前記第２の状態または第３の状態のときに現れる第２の本体部分に、カメラ、またはセンサーを配置したので、携帯情報装置を最も小さくする携帯時である第１の状態のとき、カメラ、またはセンサーを第１の本体によって隠し、汚れや衝撃から保護し、傷つきを防止することができる。また携帯情報装置の第２の状態または第３の状態の使用状態のときにスピーカまたは操作キーが現れるようにすることにより、スピーカまたは操作キーが必要な場面でのみ使用し、その他のスピーカまたは操作キーが必要でない場面では邪魔にならないように第１の本体によって隠し、かつスピーカまたは操作キーが傷つかないよう、汚れないようにすることができる。
【００１１】
さらに本発明の携帯情報装置は、結合部がピンとカム機構よりなり、第１の本体または第２の本体が回転および／または摺動して、第１の状態、第２の状態、第３の状態になるので、第１の状態から第２の状態へ、または第３の状態へ円滑に移動することができる。また２つのピンとカム機構を構成する溝に嵌まり込んでいるので、強固に結合することができるとともに、移動の軌跡をカム形状を変えることにより容易に変更でき、使用者が使いやすい移動軌跡を実現することができる。
【発明を実施するための最良の形態】
【００１２】
本発明の携帯情報装置は、表示部を有する第１の本体と、前記表示部の表示を制御する回路部を収納する第２の本体と、前記第１の本体と第２の本体を結合する結合部とからなり、前記第１の本体と第２の本体が最も多くの部分が重なり合う第１の状態と、前記第１の状態から第１の本体が回転して、前記第２の本体の一部が第１の本体からはみ出すように重なり合い、かつ第２の本体の短辺が第１の本体の一辺に一致するか、または離れた位置にある前記第２の状態を有する。また本発明の携帯情報装置は、表示部を有する第１の本体と、前記表示部の表示を制御する回路部を収納する第２の本体と、前記第１の本体と第２の本体を結合する結合部とからなる。そして前記第１の本体と第２の本体が最も多くの部分が重なり合う第１の状態と、前記第１の状態から第１の本体が回転して、前記第２の本体の一部が第１の本体からはみ出すように重なり合う第２の状態と、前記第２の状態から第１の本体が更に回転して、第１の本体の少なくとも一辺が第２の本体の少なくとも一辺に一致するか、近くにあるように重なり合う第３の状態を取ることができる。
【００１３】
ここで本発明の携帯情報装置とは、例えば携帯電話、携帯型電子ゲーム、ＰＤＡ、デジタルカメラ、ビデオカメラ、電子書籍を指す。この外に携帯型テレビ、テレビやビデオやエアコン等のリモコン、更に店舗等の在庫管理用電子機器も含む。また携帯可能ではないが、ホワイトボードにも利用可能である。
【００１４】
本発明の携帯情報装置は第１の状態、第２の状態、第３の状態において、それぞれの機能を発揮するが、各状態は一つの品種の異なる使用状態として使用することができる。例えば携帯型電子ゲーム機の場合は、収納状態と、対戦型ゲームとして使用する状態と、スクロール型ゲーム機として使用する状態である。デジタルカメラの場合は、収納状態と、縦型画面の撮影または再生状態と、横型画面の撮影または再生状態で使用することができる。携帯電話の場合は、収納状態のとき、待受け画面として使用し、縦型表示状態のとき、メールの発信、受信機能として使用し、横型表示のとき、ホームページの閲覧機能として使用する。電子書籍の場合は、収納状態と、縦書き書籍を表示する状態と、横書き書籍を表示する状態である。
また本発明の携帯情報装置は、一つの品種の異なる使用状態として使用するだけでなく、各状態ごとに異なる品種として機能するように構成することもできる。例えば、第１の状態ではカメラの表示画面として使用し、第２の状態では電子情報装置として使用し、第３の状態では電子書籍として使用してもよい。また第１の状態では収納状態とし、第２の状態では携帯型電子ゲーム機として使用し、第３の状態ではデジタルカメラ或いはワイドテレビとして使用することができる。このような各機能の組合せは適宜適用すればよい。
【００１５】
本発明の携帯情報装置において、第１の本体は液晶表示装置のような表示装置を収納する。表示装置は液晶ディスプレイに限定されず、有機ＥＬ（Ｅｌｅｃｔｒｏｌｕｍｉｎｅｓｃｅｎｃｅ）ディスプレイ、ＬＥＤ（Ｌｉｇｈｔ  Ｅｍｉｔｔｉｎｇ  Ｄｉｏｄｅ）ディスプレイ、ＰＤＰ（Ｐｌａｓｍａ  ｄｉｓｐｌａｙ  ｐａｎｅｌ）のような薄型化が可能な表示装置であればよい。また第１の本体は、液晶表示装置の駆動回路部分を収納する。第２の本体は表示装置の制御回路およびバッテリー等を内蔵する。第１の本体と第２の本体に内蔵する回路部分は、第１の本体および第２の本体の大きさ、厚さに応じて分けて収納すればよく、駆動回路の一部を第２の本体に収納してもよく、また制御回路の一部を第１の本体に収納してもよい。要するに、駆動回路と制御回路の区別は必要なく、コンパクトに高密度に収納すればよい。バッテリーは第１の本体に収納してもよいし、両方の本体にそれぞれ収納してもよい。また第２の本体にも時刻表示、テロップ表示の表示装置を収納してもよい。これにより携帯情報機器の利便性を向上できる。
第１の本体と第２の本体にそれぞれ回路部品を収納するので、第１の本体と第２の本体は電気的通信線や光ファイバーによる有線通信で接続する。或いは赤外線に信号を重畳させたＩＲ（ＩｎｆｒａＲｅｄ）通信、ブルーツース、無線アンテナを第１の本体と第２の本体に備えて行う電波通信のように、アナログ信号、デジタル信号を無線通信で接続する。電気的通信線の場合は複数ビット信号を一つの信号線とするＬＶＤＳ（Ｌｏｗ  Ｖｏｌｔａｇｅ  Ｄｉｆｆｅｒｅｎｔｉａｌ  Ｓｉｇｎａｌｉｎｇ）技術を用いて、通信線の本数を削減することにより小型化ができる。無線で接続する場合も電源は有線で接続するとよい。
【００１６】
本発明の第１の本体および第２の本体は、表面と裏面を区別する必要はなく、どの面を使用して、表示装置を配置してもよいし、操作部を配置してもよい。
本発明の携帯情報装置はおおむね長方形であるが、長方形の角を円弧形状にしてもよく、楕円形、菱形のような形状も可能であり、さらに長方形、楕円形、菱形の組合せ形状や中間的形状でもよい。勿論左右対称である必要はなく、任意の形状にすればよい。
本発明の第１の本体と第２の本体は、第１の状態、第２の状態、第３の状態の中、少なくとも１つの状態もしくはいずれの状態のときも、第１の本体および第２の本体の長手方向の真中である中心線が一致するように重ね合わせられる。中心線は第１の本体と第２の本体の中心線が完全に一致していることが望ましいが、中心線が完全に一致している必要はなく、重心位置が偏らず、持ち易い、見易い、操作がし易い範囲でおおむね一致していればよい。あるいは第１の本体の中央部に配置した表示部の中心線が操作者の左右の目の中間になるように見やすい配置になればよい。更には第１の本体または第２の本体の縦方向と横方向の長さがほぼ等しい、即ち正方形に近い形状のときは、中心線が外れる距離を大きくすることができる。
また第３の状態のとき、近くにあるように重なり合うとは、第１の本体または第２の本体の重量バランスを考慮して、前記一致する場合と同程度の操作性を保つように重なり合う状態である。
また本発明の第１の本体と第２の本体を結合する結合部は、代表的にピンとカムが結合する機構を示し、さらにカム機構は第１の本体または第２の本体に溝を形成し、溝にピンが嵌まり込むことによって構成しているが、これに限ることなく、ラックアンドピニオン機構でもよい。
【実施例１】
【００１７】
図１は本発明に係わる実施例１の３つの状態を示す図である。以下、図１〜図４を参照して実施例１を説明する。
実施例１の携帯情報装置は、液晶ディスプレイ１を備える長方形の第１本体２と、方向キー３を左側、スタート・ストップ・切換、電源のオン・オフを制御する制御キー４を右側に有する長方形の第２本体５からなり、第１本体２と第２本体５は結合部によって回転／摺動するように結合されている。結合部の構成は後述する。
第１本体２と第２本体５は、図１（ａ）では、最も重なり合い、小型になるので携帯に都合のよい形状になっている。この第１の状態では、液晶ディスプレイ１が表示され、また方向キー３および制御キー４を使用することができる。キーはつまみ、回転スイッチ、スライドスイッチのような操作子でもよい。従って、液晶ディスプレイ２を横長にして、制御キー４によりスタート、ストップまたは切換えて表示することができる。このように第１の状態では操作部としては、方向キー３および制御キー４しか使用できないので、切換え操作の少ない状態として使用することができる。
【００１８】
第１本体２は第２本体５に対して回転／摺動可能であり、図１（ｂ）のように、第１本体２の短辺を第２本体５の下側長辺に一致させて、液晶ディスプレイ２を縦長に向けて表示することができる第２の状態となる。このとき第１本体２の長軸方向の中心線と、第２本体５の短軸方向の中心線が一致している。このような配置に第１本体２と第２本体５を重ね合わせることにより、携帯情報装置のバランスがよく、持ちやすいので、操作が容易になり、また表示装置が左右の目の中心部になるので表示装置が見やすくなる。また第１本体２の両側に第２本体５の側部が露出して操作部の面積を大きくすることができる。これにより第２本体５の側部に多くのキーを配置することができる。或いは各キーの間隔を大きくすることができるので、操作がしやすくなる。また第１の状態のときは隠れていた第２本体５に設けられたキー６，７が露出して使用することができる。キーはつまみ、回転スイッチ、スライドスイッチのような操作子でもよい。第２本体５の側部下側にそれぞれスピーカ９、１０が配置されているが、第２の状態のときスピーカ９、１０が全部露出しスピーカから有効に音声が放出される。
【００１９】
液晶ディスプレイ１が縦長に向けられると、液晶ディスプレイの向きを検出するセンサーと、表示の向きを制御する回路により、表示制御回路は縦長に表示を変える。図２（ａ）は液晶ディスプレイ１がスクロール型のゲーム画面を表示し、第２本体５の左側に４方向の操作キー３を備え、右側にスタート・ストップ・切換を制御する制御キー４を備え、ゲームの種類を切換えるキー６，７を備える。
このとき携帯情報装置の反対面は、図２（ｂ）に示すように第１本体２が第２本体５から突出した部分に、カメラ１１とＬＥＤのような可視光源１２を配置する。可視光源１２をフラッシュランプとして使用し、カメラ１１で撮影することができる。この部分は第１の状態では隠れていたが、第２の状態で露出した部分である。また第２本体５の長辺上側近くにＬＥＤの赤外光源１３を配置する。さらに赤外光源１３に並べて受光素子を配置する。このように赤外光源１３と受光素子を配置することにより、対戦型ゲーム、双方向リモコンに使用することができる。第２本体５の両側に携帯情報装置の携帯時の滑り止めため細かい凹凸加工１４，１５を施すとよい。
尚、カメラ部を図１（ａ）の第１本体２の表面からみた場合、右下部に備えることによって、縦長表示（第１状態）、横長状態（第２状態）いずれかの状態であっても１つのカメラを備えることで撮影が可能である。
尚、キー６．７のいずれかに代えてカメラを備えると操作者自身の映像を撮影でき、一層、利用範囲を広げることができる。
【００２０】
次に、図１（ｃ）に示すように、第１本体２を回転／摺動させて、第１本体２の長辺が第２本体５の下側長辺から上側へ離れた位置で、液晶ディスプレイ２を横長に向けて表示することができる第３の状態となる。このとき第１本体２の短軸方向の中心線と、第２本体５の端軸方向の中心線が一致している。このような配置に第１本体２と第２本体５を重ね合わせることにより、第１本体２の液晶ディスプレイ１を第２本体５の上方へ移動させ、液晶ディスプレイ１を見やすい位置に移動させることができる。この状態では第２本体５の下部が第１本体２から露出するので、この部分にキー８を設ける。このキー８は操作補助キー入力として利用できる。また第１本体２と第２本体５の中心線が一致しているので、携帯情報装置のバランスがよい。このため持ちやすく、操作が容易になる。また第１本体２の両側に第２本体５の側部を同じ面積だけ露出しており、操作部を分けて配置するのに都合がよい。
【００２１】
液晶ディスプレイ１が横長に向けられると、液晶ディスプレイの向きを検出するセンサーと、表示の向きを制御する回路により、表示制御回路は表示の向きを横長に変える。図３（ａ）は一使用例を示し、液晶ディスプレイ１は対戦型のゲーム画面を表示し、第２本体５の左側に４方向の操作キー３を備え、右側にスタート・ストップ・切換を制御する制御キー４を備える。
第２本体５が第１本体２から露出する部分７にキー８を配置する外に、スピーカまたはキーボードを配置する。或いはゲームカセット（ＲＯＭメモリ）の挿入口を形成する。またはテロップ表示、時刻表示のような一行文字列を表示するサブ表示画面を配置してもよい。更には携帯情報装置の使用者を認証するための指紋センサーを配置してもよい。この状態では使用状態であるが、他の状態では第１本体２と重なり合い、第１本体２によって隠れるので、スピーカまたはキーボード、搭載センサーなどを傷や汚れから保護することができる。
このとき携帯情報装置の反対面は、図３（ｂ）に示すように第１本体２が第２本体５から突出した部分に、カメラ１６とＬＥＤのような可視光源１７を配置する。可視光源１７をフラッシュランプとして使用し、カメラ１５で撮影することができる。この部分は第１の状態では隠れていたが、第２の状態で露出した部分である。また第２本体５の長辺上側近くにＬＥＤの赤外光源１８を配置する。
【００２２】
更に図１（ｂ）のように、第１本体２を縦型に向けた状態で、上下逆にして反対面を向けると、図４（ａ）のような状態になる。ここで凹凸加工１４、１５に変えて第２本体５に液晶ディスプレイ２５を設け、第１本体２の下側に露出した部分に操作キー２６を配置して、更に別の用途に使用することができる。
また図１（ｃ）のように、第１本体２を横型に向けた状態で、上下逆にして反対面を向けると、図４（ｂ）のような状態になる。ここで凹凸加工１４、１５に変えて第２本体５に液晶ディスプレイ２５を設け、第１本体２の下側に露出した部分に操作キー２７を配置して、更に別の用途に使用することができる。
【実施例２】
【００２３】
実施例２の携帯情報装置は、実施例１と類似するが、第１本体２と第２本体５の位置関係が変化している。このように第１本体２と第２本体５の位置関係を変えるために、第１本体２と第２本体５を結合し、回転／摺動する結合部のカムの形状を変える。結合部の構成は後述する。
【００２４】
図５は本発明に係わる実施例２の３つの状態を示す図である。以下、図５〜図８を参照して実施例２を説明する。
図５（ａ）に示すように、第１本体２と第２本体５は最も重なり合い、第１の状態となり、収納状態となる。
第１本体２を回転／摺動すると、図５（ｂ）のように、第１本体２の短辺が第２本体５の下側長辺から離れ、上方へ持ち上げた位置にある。このとき第１本体２の長軸方向の中心線と、第２本体５の短軸方向の中心線が一致している。これにより携帯情報装置のバランスがよく、持ちやすいので、操作が容易になる。また第１本体２と第２本体５が重なり合う部分が少なくなり、第２本体５の露出面積が大きくなる。この露出部分に操作部を配置すると、多くのキーを配置することができる。或いは各キーの間隔を大きくすることができるので、操作がしやすくなる。
【００２５】
実施例２の場合も液晶ディスプレイ１が縦長に向けられると、液晶ディスプレイの向きを検出するセンサーと、表示の向きを制御する回路により、表示制御回路は表示の向きを縦長に変える。図６（ａ）は一使用例を示し、液晶ディスプレイ１は縦書きの電子書籍の表示画面を示し、第２本体５の左側に表示画面を４方向にスクロールする４方向の操作キー３を備え、右側にスタート・ストップ・切換、電源のオン・オフする制御する制御キー４を備える。第２本体５の下側が第１本体２から露出する部分に電子書籍のメモリ媒体を挿入する挿入口２１を形成する。他の使用例の場合は、スピーカ、キーボード、ゲームカッセトカセット（ＲＯＭメモリ）の挿入口、サブの表示画面、又は指紋センサーを配置してもよい。
【００２６】
このとき携帯情報装置の反対面は、図６（ｂ）に示すように第１本体２が第２本体５から突出した部分にカメラ１１とＬＥＤのような可視光源１２を配置する。また第２本体５の長辺上側近くにＬＥＤの赤外光源１３を配置する。第２本体５の両側に携帯情報装置の携帯時の滑り止めのための細かい凹凸加工１４、１５を施すとよい。
また、図５（ｃ）に示すように、第１本体２の長辺が第２本体５の下側長辺から離れた位置で、上方へ持ち上げた位置にある。このとき第１本体２の長軸方向の中心線と、第２本体５の短軸方向の中心線が一致している。このように第１本体２と第２本体５を重ね合わせ、第１本体２の液晶ディスプレイ１を第２本体５の上方で移動させ、液晶ディスプレイ１を見やすい位置に移動させることができる。また第１本体２と第２本体５の中心線が一致しているので、携帯情報装置のバランスがよい。このため持ちやすく、操作が容易になる。また第１本体２の両側に第２本体５の側部を同じ面積だけ露出しており、操作部を分けて配置するのに都合がよい。
【００２７】
液晶ディスプレイ１が横長に向けられると、液晶ディスプレイの向きを検出するセンサーと、表示の向きを制御する回路により、表示制御回路は表示の向きを横長に変える。  図７（ａ）は一使用例を示し、液晶ディスプレイ１は横長書面の表示画面を示し、第２本体５の左側に画面を４方向にスクロールする４方向の操作キー３を備え、右側にスタート・ストップ・切換を制御する制御キー４を備える。第２本体５が第１本体２から露出する部分７にスピーカ、キーボード、ゲームカッセトカセット（ＲＯＭメモリ）の挿入口、サブ表示画面、又は指紋センサーを配置する。文章の作成に文字入力に都合のよい配置である。
このとき携帯情報装置の反対面は、図７（ｂ）に示すように第１本体２が第２本体５から突出した部分に、カメラ１６とＬＥＤのような可視光源１７を配置する。また第２本体５の長辺上側近くにＬＥＤの赤外光源１８を配置する。
【００２８】
更に図５（ｂ）のように、第１本体２を縦型に向けた状態で、上下逆にして反対面を向けると、図８（ａ）のような状態になる。ここで凹凸加工１４、１５に変えて換えて第２本体５に液晶ディスプレイ２８を設け、第１本体２の下側に露出した部分に操作キー２９を配置して、更に別の用途に使用することができる。
また図５（ｃ）のように、第１本体２を横型に向けた状態で、上下逆にして反対面を向けると、図８（ｂ）のような状態になる。ここで凹凸加工１４、１５に変えて第２本体５に液晶ディスプレイ２８を設け、第１本体２の下側に露出した部分に操作キー３０を配置して、更に別の用途に使用することができる。
【００２９】
＜携帯情報装置の回路＞
図９は本発明の携帯型情報装置の回路ブロック図を示す。
図９において、３１は表示画面に表示された対象物を移動させるための移動キー入力部である。移動キー入力部３１は第２本体５に設けられた操作キー３に対応している。３２はモ−ド切換／スタートキー入力部である。このキー入力部３２は第２本体５に設けられた操作キー４に対応している。３３、３４はデジタルカメラであり、第１本体２の反対面に設けたカメラ１１および１５に対応している。３５はカメラ３３，３４のデジタル信号を制御部４６へ転送するためのカメラインターフェースである。３６は指紋センサーやキーボードのような各種入力部に対応する各種インターフェースである。３７は例えば電子ゲーム機のプログラムカセットとデジタル信号を交信するプログラムカセットインターフェースである。
【００３０】
３８はスピーカであり、第２本体５に設けられたスピーカに対応している。ここではスピーカ３８は放声だけでなく、音声を入力するマイクの機能も有する。３９はスピーカ３８に音声信号を入力し、または出力する音声入出力部である。４０はディスプレイ駆動回路である。ディスプレイ駆動回路４０は第１本体２に備えられた液晶表示装置１を駆動する。４１は第１本体２の回転位置を検出する表示パネル角度検出スイッチである。４２は表示パネル角度検出スイッチ４１の検出信号により、液晶表示装置１に縦向きまたは横向きの表示をするようにディスプレイ駆動回路４０に表示角度を制御する表示角度制御部である。角度検出スイッチ４１と表示角度制御部４２により、実施例１および実施例２において、第１の状態のとき横長表示を行い、第２の状態のとき縦長表示を行い、第３の状態のとき横長表示を行う。４３は第１本体２または第２本体５に備えたサブ表示装置の駆動回路である。４４は赤外線センサーである。４５は赤外線光源である。
以上の各部分は制御部４６に接続され、制御部４６の制御により駆動される。制御部４６は内部にＲＯＭ４８、ＲＡＭ４９よりなる記憶部４７を有する。記憶部４７はＲＯＭ４８、ＲＡＭ４９に携帯情報装置のプログラムを内蔵または外付けし、またデータを記憶して、携帯型情報装置を制御し、駆動する。
【００３１】
本発明の携帯情報装置の回路は以上のように構成され、第１本体２または第２本体５に回路部品が収納されるが、第１本体２または第２本体５に内蔵する回路部分は、第１本体２および第２本体５の大きさ、厚さまたは相互に影響のある回路を分けるとか、或いは相互に関係のある回路を近くに配置するとか任意に分けて収納すればよく、駆動回路の一部を第２本体５に収納してもよく、また制御回路の一部を第１本体２に収納してもよい。第１本体２と第２本体５の回路は、電気的通信線や光ファイバーによる有線通信で接続する。電気的通信は複数ビット信号を一つの信号線とするシリアル／パラレル信号変換技術、例えば、パラレル信号を低電圧差動のシリアル信号に変換して伝送する方式であるＬＶＤＳ技術を用いて接続することで、接続本数を削減することができ、機器の小型化やより携帯の自由度の高い形状にすることができる。或いは赤外線に信号を重畳させたＩＲ通信、無線アンテナを第１本体２と第２本体５に備えて電波通信で接続する。バッテリーは第２本体５に収納し、接続線を介して第１本体２へ供給する。
【００３２】
＜携帯情報装置の結合部＞
本発明の携帯情報装置は第１本体２と第２本体５が図１０のように結合される。
第１本体２と第２本体５が互いに対向する面に、第１本体２にピンが取り付けられ、第２本体５に溝が形成される。ピンと溝は第１本体２または第２本体５のどちらに設けてもよいが、ここでは第１本体２に２つのピン５１、５２が取り付けられ、第２本体５に２つの溝５３，５４が形成されたとして説明する。溝は２つに分ける必要はなく、連続する１つの溝であってもよい。ピン５１は第１本体２のケース側壁５５のほぼ中央に取り付けられ、ピン５２はピン５１より第１本体２の右側に、第１本体２のケース側壁５５に取り付けられる。ピン５１、５２は第１本体２のケース側壁５５に強固に取り付けられ、容易に抜けない構造である。ピン５１、５２の先端は扁平な板５７、５８を有する形状である。  即ち先端に板５７、５８を有するピン５１、５２が第１本体２のケース側壁５５にネジ止め、溶接止め、半田付け、接着等により固定される。溝５３、５４は図１１（ａ）に示すように、第２本体５のケース側壁５９に切り欠きにより形成してもよいが、図１１（ｂ）に示すように、防水、防塵を考慮すると有底の溝６０が望ましい。そしてピン５１，５２の先端の板５７、５８が溝５３、５４に嵌入しまり込んで抜けないようになっている。
【００３３】
溝５３は図１０に示すように、第２本体５のケース側壁５９にほぼ直線状に形成される。第１本体２と第２本体５が収納状態のとき、溝５３の最も下の位置でピン２１が嵌まり合うように結合している。溝５４は全体的な形状はＵ字形或いは皿形であり、第１本体２と第２本体５が収納状態のとき、溝５４の右側のほぼ直線状の溝５４ａの最も上の位置でピン５２が嵌まり合うように結合している。溝５２ａはほぼ直線状に形成され、少し下側が右に傾いている。溝５４ａに続いて直線部分の溝５４ｂがあり、さらに溝５３の最上端を中心とする円弧部分の溝５４ｃが形成されている。上記溝５４ａ、５４ｂ、５４ｃは概略形状であり、各溝の接続部分はピン５２がスムーズ円滑に移動するように円形に形成される。溝５３と溝５４は互いに分離して形成しているが、例えば溝５３の下端を溝５４に達するまで延長し、溝５３と溝５４がつながるように形成してもよい。
【００３４】
第１本体２と第２本体５が収納状態にあるときを図１０（ａ）に示す。この状態のとき、ピン５１は溝５３の最も下の位置にあり、ピン５２は溝５４ａの最も上にある。
次に第１本体２を時計回りに回転させると、図１０（ｂ）に示すように、ピン５１は移動しないで、ピン５２が溝５４ａの下端まで移動し、このとき第１本体２は傾いた状態にある。さらに第１本体２を時計回りに回転させると、溝５４ｂがほぼ直線に形成されているので、ピン５１が溝５３を上方へ移動しながら、ピン５２が溝５４ｂを左側へ移動する。これにより回転と摺動が同時に行われ、図１０（ｃ）の状態になる。この状態は実施例１の第２の状態である。
【００３５】
更に第１本体２を回転させると、溝５４ｃはさらに溝５３の最上端を中心とする円弧によって形成されているので、ピン５１が溝５３の上端にあることにより、第１本体２は溝５３の上端を中心にして回転し、図１０（ｄ）の状態になる。この状態は実施例１の第２の状態である。第１の状態、第２の状態、第３の状態でそれぞれ安定させるために、溝５４の形状を少し変形させることは有効である。例えば溝５４ａの上端、溝５４ｂと溝５４ｃの接続部分、溝５４ｃの左端に少し膨らみ部分を形成し、第１本体２がピン２１に近づくようにばねを掛けておくとよい。
第１本体２を反時計回りに回転すると、図１０（ｄ）から図１０（ｃ）→図１０（ａ）へ順次移動する。
【００３６】
以上実施例１の結合部の説明をしたが、実施例２の結合部も溝５４の形状を変えると、実施例２で説明したように、図５（ａ）、図５（ｂ）、図５（ｃ）のように移動させることができる。より詳細には溝５４ｂと溝５４ｃの接続箇所の形状を変形するとよい。
【図面の簡単な説明】
【００３７】
【図１】実施例１の３つの状態を説明する図である。
【図２】実施例１の第２の状態を説明する図である。
【図３】実施例１の第３の状態を説明する図である。
【図４】実施例１の更に別の状態を説明する図である。
【図５】実施例２の３つの状態を説明する図である。
【図６】実施例２の第２の状態を説明する図である。
【図７】実施例２の第３の状態を説明する図である。
【図８】実施例２の更に別の状態を説明する図である。
【図９】本発明の携帯型情報装置の回路ブロック図である。
【図１０】実施例１の結合部を説明するための図である。
【図１１】結合部の断面図である。
【符号の説明】
【００３８】
１    液晶ディスプレイ
２    第１本体
３    方向キー
４    制御キー
５    第２本体
５１、５２    ピン
５３、５４    溝
【図１】
2006202230.tif 000003
【図２】
2006202230.tif 000004
【図３】
2006202230.tif 000005
【図４】
2006202230.tif 000006
【図５】
2006202230.tif 000007
【図６】
2006202230.tif 000008
【図７】
2006202230.tif 000009
【図８】
2006202230.tif 000010
【図９】
2006202230.tif 000011
【図１０】
2006202230.tif 000012
【図１１】
2006202230.tif 000013